(57)【要約】【課題】プレゼンテーション用画像を見ている注目者数を検出することが可能なプレゼンテーション支援システム、プレゼンテーション支援装置及びプレゼンテーション支援方法を提供すること。【解決手段】プレゼンテーション支援システム１は、プレゼンテーション制御部２５１と、撮像部４と、注目者数判定部２５２と、を備える。プレゼンテーション制御部２５１は、プレゼンテーション用画像を画面３１に順次表示する。撮像部４は、画面３１側から画面３１の前方を撮像する。注目者数判定部２５２は、撮像部４から出力される画像データに基づいて、前記プレゼンテーション用画像を見ている注目者数を判定する。【選択図】図１
2018018332.tif 000002
【特許請求の範囲】
【請求項１】
プレゼンテーション用画像を画面に順次表示するプレゼンテーション制御部と、
前記画面側から前記画面の前方を撮像する撮像部と、
前記撮像部から出力される画像データに基づいて、前記プレゼンテーション用画像を見ている注目者数を判定する注目者数判定部と、
を備えるプレゼンテーション支援システム。
【請求項２】
前記注目者数判定部によって判定される前記注目者数を示す画像を表示する注目者数表示部を更に備える請求項１に記載のプレゼンテーション支援システム。
【請求項３】
前記注目者数表示部は、前記注目者数を示す画像を、前記プレゼンテーション用画像に重ねて表示する請求項２に記載のプレゼンテーション支援システム。
【請求項４】
前記注目者数判定部は、前記プレゼンテーション用画像内の複数の領域の各々について、前記注目者数を判定し、
前記注目者数表示部は、前記注目者数判定部によって判定される前記領域毎の前記注目者数を示す画像を、前記プレゼンテーション用画像に重ねて表示する請求項２又は請求項３に記載のプレゼンテーション支援システム。
【請求項５】
前記注目者数判定部は、一定時間間隔の複数の時点の各々において、前記プレゼンテーション用画像を見ている注目者数を判定し、
前記注目者数表示部は、前記注目者数判定部によって判定される前記時点毎の前記注目者数に基づいて、前記注目者数の時間的変化を示すグラフを表示する請求項２に記載のプレゼンテーション支援システム。
【請求項６】
前記注目者数判定部によって判定される前記注目者数に応じたアドバイス情報を生成するアドバイス生成部と、
前記アドバイス情報を表示するアドバイス表示部と、
を更に備える請求項１〜３のいずれかに記載のプレゼンテーション支援システム。
【請求項７】
前記注目者数判定部は、前記プレゼンテーション用画像内の複数の領域の各々について、前記注目者数を判定し、
前記アドバイス生成部は、前記注目者数判定部によって判定される前記領域毎の前記注目者数に基づいて、前記アドバイス情報を生成する請求項６に記載のプレゼンテーション支援システム。
【請求項８】
前記注目者数判定部は、一定時間間隔の複数の時点の各々において、前記プレゼンテーション用画像を見ている注目者数を判定し、
前記アドバイス生成部は、前記注目者数判定部によって判定される前記時点毎の前記注目者数に基づいて、前記アドバイス情報を生成する請求項６に記載のプレゼンテーション支援システム。
【請求項９】
前記注目者数判定部は、前記プレゼンテーション用画像内の複数の領域の各々について、前記注目者数を判定し、
前記プレゼンテーション支援システムは、前記注目者数判定部によって判定される前記領域毎の前記注目者数に基づいて画像形成装置に印刷処理を実行させる印刷制御部を更に備える請求項１〜３のいずれかに記載のプレゼンテーション支援システム。
【請求項１０】
前記プレゼンテーション用画像内の前記複数の領域の各々に個別に対応付けられた複数の印刷用画像を記憶する記憶部を更に備え、
前記印刷制御部は、前記注目者数判定部によって判定される前記領域毎の前記注目者数に基づいて、前記複数の印刷用画像の各々の印刷部数を設定する請求項９に記載のプレゼンテーション支援システム。
【請求項１１】
プレゼンテーション用画像を画面に順次表示するプレゼンテーション制御部と、
前記画面側から前記画面の前方を撮像する撮像部から出力される画像データに基づいて、前記プレゼンテーション用画像を見ている注目者数を判定する注目者数判定部と、
を備えるプレゼンテーション支援装置。
【請求項１２】
プレゼンテーション用画像を画面に順次表示するプレゼンテーション制御ステップと、
前記画面側から前記画面の前方を撮像する撮像部から出力される画像データに基づいて、前記プレゼンテーション用画像を見ている注目者数を判定する注目者数判定ステップと、
を備えるプレゼンテーション支援方法。
【発明の詳細な説明】
【技術分野】
【０００１】
本発明は、プレゼンテーション支援システム、プレゼンテーション支援装置及びプレゼンテーション支援方法に関する。
【背景技術】
【０００２】
一般に、ノートパソコンのようなコンピューターに格納されているプレゼンテーション用画像（スライド）をプロジェクターによってスクリーン上に表示させることによって、プレゼンテーション用画像を複数の視聴者に見せながらプレゼンテーションを行うことが可能なプレゼンテーション支援システムが知られている。
【０００３】
上記のようなプレゼンテーション支援システムを用いたプレゼンテーションにおいて、スクリーン上に表示されたプレゼンテーション用画像を各視聴者が見ているか否かを把握することは、プレゼンテーションの効果又は成果を左右する重要な要素である。
【０００４】
しかしながら、プレゼンテーションの発表者は、通常は、プレゼンテーション用画像を見ながら発表を行うことが多く、スクリーン上に表示されたプレゼンテーション用画像を各視聴者が見ているか否かを目視により把握することは困難である。
【０００５】
ところで、表示部を見ている受講者の顔画像をカメラで撮影し、当該顔画像から受講者の視線を検出することによって、受講者が、前記表示部に表示されている学習ページのどのエリアを見ているのかを認識することが可能な学習支援装置が存在する（例えば、特許文献１参照）。
【先行技術文献】
【特許文献】
【０００６】
【特許文献１】特開２０１４−１７８３５８号公報
【発明の概要】
【発明が解決しようとする課題】
【０００７】
しかしながら、前記学習支援装置の技術は、１人の受講者が学習ページのどのエリアを見ているのかを認識する技術であって、当該技術を前記プレゼンテーション支援システムに適用したとしても、プレゼンテーション用画像を見ている注目者数を検出することはできない。
【０００８】
本発明の目的は、プレゼンテーション用画像を見ている注目者数を検出することが可能なプレゼンテーション支援システム、プレゼンテーション支援装置及びプレゼンテーション支援方法を提供することにある。
【課題を解決するための手段】
【０００９】
本発明の一の局面に係るプレゼンテーション支援システムは、プレゼンテーション制御部と、撮像部と、注目者数判定部と、を備える。前記プレゼンテーション制御部は、プレゼンテーション用画像を画面に順次表示する。前記撮像部は、前記画面側から前記画面の前方を撮像する。前記注目者数判定部は、前記撮像部から出力される画像データに基づいて、前記プレゼンテーション用画像を見ている注目者数を判定する。
【００１０】
本発明の他の局面に係るプレゼンテーション支援装置は、プレゼンテーション制御部と、注目者数判定部と、を備える。前記プレゼンテーション制御部は、プレゼンテーション用画像を画面に順次表示する。前記注目者数判定部は、前記画面側から前記画面の前方を撮像する撮像部から出力される画像データに基づいて、前記プレゼンテーション用画像を見ている注目者数を判定する。
【００１１】
本発明の他の局面に係るプレゼンテーション支援方法は、プレゼンテーション制御ステップと、注目者数判定ステップと、を備える。前記プレゼンテーション制御ステップでは、プレゼンテーション用画像が画面に順次表示される。前記注目者数判定ステップでは、前記画面側から前記画面の前方を撮像する撮像部から出力される画像データに基づいて、前記プレゼンテーション用画像を見ている注目者数が判定される。
【発明の効果】
【００１２】
本発明によれば、プレゼンテーション用画像を見ている注目者数を検出することが可能なプレゼンテーション支援システム、プレゼンテーション支援装置及びプレゼンテーション支援方法が提供される。
【図面の簡単な説明】
【００１３】
【図１】図１は、本発明の実施形態に係るプレゼンテーション支援システムの構成を示す図である。
【図２】図２は、本発明の実施形態に係るプレゼンテーション支援装置のシステム構成を示すブロック図である。
【図３】図３は、本発明の実施形態に係るプレゼンテーション支援装置で用いられるプレゼンテーション用画像における複数の領域の一例を示す図である。
【図４】図４は、本発明の実施形態に係るプレゼンテーション支援装置で用いられる注目者数情報の一例を示す図である。
【図５】図５は、本発明の実施形態に係るプレゼンテーション支援装置で用いられる領域毎の注目者数を示す画像の一例を示す図である。
【図６】図６は、本発明の実施形態に係るプレゼンテーション支援装置で用いられる注目者数の時間的変化を示すグラフの一例を示す図である。
【図７】図７は、本発明の実施形態に係るプレゼンテーション支援装置で用いられる領域毎の印刷用画像の一例を示す図である。
【図８】図８は、本発明の実施形態に係るプレゼンテーション支援装置で実行されるプレゼンテーション処理の手順の一例を示すフローチャートである。
【図９】図９は、本発明の実施形態に係るプレゼンテーション支援装置で実行されるフィードバック処理の手順の一例を示すフローチャートである。
【図１０】図１０は、本発明の実施形態に係るプレゼンテーション支援装置で実行されるフィードバック処理における表示画像の一例を示す図である。
【発明を実施するための形態】
【００１４】
以下添付図面を参照しながら、本発明の実施形態について説明し、本発明の理解に供する。なお、以下の実施形態は、本発明を具体化した一例であって、本発明の技術的範囲を限定する性格のものではない。
【００１５】
［プレゼンテーション支援システム］
図１に示すように、本発明の実施形態に係るプレゼンテーション支援システム１は、プレゼンテーション支援装置２、表示装置３、撮像部４、及び画像形成装置５を備える。
【００１６】
プレゼンテーション支援装置２は、例えば、ノートパソコンのようなコンピューターである。プレゼンテーション支援装置２は、例えば、プレゼンテーションの発表者Ｐ１の操作に応じて、プレゼンテーション用画像（以下、スライドと称す）の画像データを順次出力する。
【００１７】
表示装置３は、プレゼンテーション支援装置２から出力される画像データに基づいて、画面３１に前記スライドを表示する。なお、表示装置３は、スクリーン上に画像を投影するプロジェクターであってもよい。
【００１８】
撮像部４は、画面３１側から画面３１の前方を撮像して、画像データを出力する。前記画像データは、プレゼンテーション支援装置２に入力される。発表者Ｐ１によるプレゼンテーション中においては、撮像部４による撮像画像には、プレゼンテーションを視聴している複数の視聴者Ｐ２が含まれる。
【００１９】
画像形成装置５は、プレゼンテーション支援装置２からの指示に応じて印刷処理を実行する。
【００２０】
［プレゼンテーション支援装置］
図２に示すように、プレゼンテーション支援装置２は、操作部２１、表示部２２、通信Ｉ／Ｆ２３、記憶部２４、及び制御部２５を備える。
【００２１】
操作部２１は、ユーザー操作を受け付けるための入力装置であって、例えば、キーボード、タッチパッド、タッチパネルなどの入力装置である。
【００２２】
表示部２２は、例えば、液晶ディスプレーである。
【００２３】
通信Ｉ／Ｆ２３は、プレゼンテーション支援装置２に接続された外部機器と通信するためのインターフェイスである。プレゼンテーション支援装置２は、通信Ｉ／Ｆ２３を通じて、表示部３、撮像部４、及び画像形成装置５と通信可能である。
【００２４】
記憶部２４は、例えば、ハードディスクのような不揮発性の記憶装置である。記憶部２４には、制御部２５によって実行される各種の制御プログラム、及び、制御部２５によって用いられる各種のデータが記憶される。
【００２５】
制御部２５は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２６】
具体的に、制御部２５は、プレゼンテーション制御部２５１、注目者数判定部２５２、注目者数表示部２５３、アドバイス生成部２５４、アドバイス表示部２５５、及び印刷制御部２５６を含む。なお、制御部２５は、前記制御プログラムに従って各種の処理を実行することにより、これらの各処理部として機能する。また、制御部２５は、これらの各処理部の一部又は複数の機能を実現する電子回路を備えるものであってもよい。
【００２７】
プレゼンテーション制御部２５１は、操作部２１を通じて入力されるユーザーの指示に応じて前記スライドの画像データを表示装置３に順次出力することによって、前記スライドを画面３１に順次表示する。プレゼンテーション制御部２５１は、例えば、公知のプレゼンテーション用ソフトウェアを用いて実現されてもよい。
【００２８】
注目者数判定部２５２は、撮像部４から出力される画像データに基づいて、前記スライドを見ている注目者数、すなわち、前記スライドを実際に注目している視聴者Ｐ２の人数を判定する。注目者数判定部２５２は、例えば、視聴者Ｐ２毎に、公知の視線検出技術を用いて視線検出処理を行うことによって、前記注目者数を判定してもよい。
【００２９】
注目者数判定部２５２は、前記スライド内の複数の領域の各々について、前記注目者数を判定してもよい。例えば、注目者数判定部２５２は、図３に示すようなスライド６０内の領域Ｒ１〜Ｒ４の４つの領域の各々について、前記注目者数を判定してもよい。
【００３０】
注目者数判定部２５２は、一定時間間隔の複数の時点の各々において、前記スライドを見ている注目者数を判定してもよい。例えば、注目者数判定部２５２は、図４に示すように、画面３１にスライドＡが表示されている間、時刻Ｔ１〜Ｔ６のそれぞれの時点において、スライドＡを見ている注目者数を判定してもよい。
【００３１】
注目者数表示部２５３は、注目者数判定部２５２によって判定される前記注目者数を示す画像を表示する。
【００３２】
注目者数表示部２５３は、前記注目者数を示す画像を、前記スライドに重ねて表示してもよい。例えば、注目者数表示部２５３は、注目者数判定部２５２によって判定される前記領域毎の前記注目者数を示す画像を、前記スライドに重ねて表示してもよい。例えば、注目者数表示部２５３は、図５に示すように、前記領域毎の前記注目者数に応じて大きさの異なる楕円画像を、スライド６０に重ねて表示してもよい。
【００３３】
注目者数表示部２５３は、注目者数判定部２５２によって判定される前記時点毎の前記注目者数に基づいて、前記注目者数の時間的変化を示すグラフ（図６参照）を表示してもよい。
【００３４】
アドバイス生成部２５４は、注目者数判定部２５２によって判定される前記注目者数に応じたアドバイス情報を生成する。前記アドバイス情報は、プレゼンテーションの発表者Ｐ１がより良いプレゼンテーションを行えるようにするための助言となる情報である。
【００３５】
アドバイス生成部２５４は、注目者数判定部２５２によって判定される前記領域毎の前記注目者数に基づいて、前記アドバイス情報を生成してもよい。例えば、アドバイス生成部２５４は、前記注目者数が前記スライドの各領域に分散している場合には、注目させたい領域に含まれる言葉を強調表示したり、注目させたい領域に絵を追加したりするように促す前記アドバイス情報を生成してもよい。
【００３６】
アドバイス生成部２５４は、注目者数判定部２５２によって判定される前記時点毎の前記注目者数に基づいて、前記アドバイス情報を生成してもよい。例えば、アドバイス生成部２５４は、図６に示すスライドＢのように、前記スライドを表示している途中で前記注目者数が低下している場合には、前記スライドの表示時間（説明時間）が長すぎて視聴者Ｐ２の興味が低下しているので、前記スライドの表示時間をより短くするように促す前記アドバイス情報を生成してもよい。
【００３７】
アドバイス表示部２５５は、アドバイス生成部２５４によって生成された前記アドバイス情報を、例えば表示部２２に表示する（図１０参照）。
【００３８】
印刷制御部２５６は、注目者数判定部２５２によって判定される前記領域毎の前記注目者数に基づいて画像形成装置５に印刷処理を実行させる。
【００３９】
例えば、記憶部２４には、前記スライド内の前記複数の領域の各々に個別に対応付けられた複数の印刷用画像が記憶されている（図７参照）。印刷制御部２５６は、注目者数判定部２５２によって判定される前記領域毎の前記注目者数に基づいて、前記複数の印刷用画像の各々の印刷部数を設定する。例えば、印刷制御部２５６は、前記スライドの各領域に表示されている項目のうち、前記注目者数が少なかった領域に表示されている項目に関する追加資料を、視聴者Ｐ２に配布するために、画像形成装置５に印刷させてもよい。また、例えば、印刷制御部２５６は、前記スライドの各領域に表示されている商品のうち、前記注目者数が多かった領域に表示されている商品に関する追加資料を、視聴者Ｐ２に配布するために、画像形成装置５に印刷させてもよい。
【００４０】
ところで、プレゼンテーションの発表者Ｐ１は、通常は、前記スライドを見ながら発表を行うことが多く、画面３１上に表示された前記スライドを各視聴者Ｐ２が見ているか否かを目視により把握することは困難である。ところが、本実施形態のプレゼンテーション支援システム１では、前述のように、前記スライドを見ている注目者数を検出することが可能である。よって、プレゼンテーションの発表者Ｐ１は、各視聴者Ｐ２を目視しなくても、前記スライドを見ていた注目者数を確認することができる。さらに、本実施形態のプレゼンテーション支援システム１では、検出された注目者数を分かり易く表示したり、検出された注目者数に応じてアドバイスを表示したり、検出された注目者数に応じて画像を印刷したりすることが可能である。
【００４１】
［プレゼンテーション処理］
次に、図８を参照しつつ、制御部２５によって実行されるプレゼンテーション処理の手順の一例について説明する。ここで、ステップＳ１、Ｓ２・・・は、制御部２５により実行される処理手順（ステップ）の番号を表している。なお、前記プレゼンテーション処理は、例えば、発表者Ｐ１によるプレゼンテーション開始指示が入力されたことに応じて開始され、その後、発表者Ｐ１によるプレゼンテーション終了指示が入力されたことに応じて終了される。前記プレゼンテーション処理は、発表者Ｐ１から視聴者Ｐ２へのプレゼンテーションが実際に行われるときに実行される処理である。
【００４２】
＜ステップＳ１＞
まず、ステップＳ１において、制御部２５は、最初のスライドを画面３１に表示させる。具体的には、制御部２５は、最初のスライドの画像データを表示装置３に出力する。
【００４３】
＜ステップＳ２＞
ステップＳ２において、制御部２５は、前記注目者数を判定すべきタイミングか否かを判断する。例えば、制御部２５は、前記注目者数を判定した時点から一定時間以上が経過している場合に、前記注目者数を判定すべきタイミングであると判断する。そして、前記注目者数を判定すべきタイミングであると判断されると（Ｓ２：Ｙｅｓ）、処理がステップＳ３に移行する。一方、前記注目者数を判定すべきタイミングではないと判断されると（Ｓ２：Ｎｏ）、処理がステップＳ６に移行する。
【００４４】
＜ステップＳ３＞
ステップＳ３において、制御部２５は、撮像部４から画像データを取得する。
【００４５】
＜ステップＳ４＞
ステップＳ４において、制御部２５は、撮像部４の撮像画像に含まれる各視聴者Ｐ２の視線を検出することによって、現在表示中のスライドにおける領域毎の注目者数を判定する。
【００４６】
＜ステップＳ５＞
ステップＳ５において、制御部２５は、現在表示中のスライドにおける領域毎の注目者数を、例えば、図４に示すような注目者数情報として、記憶部２４に記録する。前記注目者数情報には、スライドと時刻と領域毎の注目者数とが関連付けて記録される。
【００４７】
＜ステップＳ６＞
ステップＳ６において、制御部２５は、操作部２１を通じて、発表者Ｐ１によるスライド変更指示が入力されたか否かを判断する。そして、前記スライド変更指示が入力されたと判断されると（Ｓ６：Ｙｅｓ）、処理がステップＳ７に移行する。一方、前記スライド変更指示が入力されていないと判断されると（Ｓ６：Ｎｏ）、処理がステップＳ１０に移行する。
【００４８】
＜ステップＳ７＞
ステップＳ７において、制御部２５は、現在表示中のスライドにおける領域毎の注目者数に応じて、当該各領域に個別に対応付けられている各印刷用画像の印刷枚数を決定する。例えば、制御部２５は、最も注目者数が多かった領域に対応する印刷用画像の印刷枚数を、視聴者Ｐ２の人数と同じ数に設定し、残りの領域に対応する印刷用画像の印刷枚数を０に設定する。
【００４９】
＜ステップＳ８＞
ステップＳ８において、制御部２５は、ステップＳ７で設定された印刷枚数に基づいて、画像形成装置５に印刷指示を行う。例えば、記憶部２４には、複数の印刷用画像の画像データと、図７に示すように、各スライドの各領域と各印刷用画像との対応関係を示す情報とが予め記憶されており、制御部２５は、前記情報を参照して、印刷すべき印刷用画像の画像データと、その印刷枚数を、画像形成装置５に送信する。その結果、画像形成装置５では、前記印刷用画像が印刷されたシートが出力される。
【００５０】
＜ステップＳ９＞
ステップＳ９において、制御部２５は、現在表示中のスライドの次のスライドを画面３１に表示させる。
【００５１】
＜ステップＳ１０＞
ステップＳ１０において、制御部２５は、操作部２１を通じて、発表者Ｐ１によるプレゼンテーション終了指示が入力されたか否かを判断する。そして、前記プレゼンテーション終了指示が入力されたと判断されると（Ｓ１０：Ｙｅｓ）、前記プレゼンテーション処理が終了する。一方、前記プレゼンテーション終了指示が入力されていないと判断されると（Ｓ１０：Ｎｏ）、処理がステップＳ２に戻る。
【００５２】
なお、上記ステップＳ１、Ｓ６、Ｓ９の処理（プレゼンテーション制御ステップ）は、制御部２５のプレゼンテーション制御部２５１によって実行される。また、ステップＳ４の処理（注目者数判定ステップ）は、制御部２５の注目者数判定部２５２によって実行される。また、ステップＳ７、Ｓ８の処理（印刷制御ステップ）は、制御部２５の印刷制御部２５６によって実行される。
【００５３】
［フィードバック処理］
次に、図９を参照しつつ、制御部２５によって実行されるフィードバック処理の手順の一例について説明する。なお、前記フィードバック処理は、例えば、発表者Ｐ１によるフィードバック開始指示が入力されたことに応じて開始され、その後、発表者Ｐ１によるフィードバック終了指示が入力されたことに応じて終了される。前記フィードバック処理は、発表者Ｐ１から視聴者Ｐ２へのプレゼンテーションが実際に行われた後に、任意のタイミングで実行される処理である。
【００５４】
＜ステップＳ２１＞
ステップＳ２１において、制御部２５は、発表者Ｐ１の操作に応じて、スライドを選択する。
【００５５】
＜ステップＳ２２＞
ステップＳ２２において、制御部２５は、図４に示すような前記注目者数情報に基づいて、ステップＳ２１で選択されたスライドにおける領域毎の注目者数を示す画像を生成する。例えば、制御部２５は、前記領域毎の前記注目者数に応じて大きさの異なる楕円画像を生成する。
【００５６】
＜ステップＳ２３＞
ステップＳ２３において、制御部２５は、ステップＳ２２で生成した画像を、ステップＳ２１で選択されたスライドに重ねて、表示部２２に表示する。
【００５７】
＜ステップＳ２４＞
ステップＳ２４において、制御部２５は、図４に示すような前記注目者数情報に基づいて、ステップＳ２１で選択されたスライドにおける領域毎又は時点毎の注目者数に基づいて、アドバイス情報を生成する。
【００５８】
＜ステップＳ２５＞
ステップＳ２５において、制御部２５は、ステップＳ２４で生成されたアドバイス情報を、表示部２２に表示する。
【００５９】
上記ステップＳ２１〜Ｓ２５の結果、表示部２２には、例えば図１０に示すような表示画像が表示される。前記表示画像には、スライドを切り換えるためのボタンＢ１、ボタンＢ２が含まれている。また、前記表示画像には、注目者数の時間的変化を示すグラフを表示させるためのボタンＢ３、及び、前記フィードバック処理を終了させるためのボタンＢ４が含まれている。
【００６０】
＜ステップＳ２６＞
ステップＳ２６において、制御部２５は、操作部２１を通じて、発表者Ｐ１によるスライド変更指示が入力されたか否かを判断する。例えば、制御部２５は、発表者Ｐ１によって図１０に示すボタンＢ１又はボタンＢ２が選択されたときに、前記スライド変更指示が入力されたと判断する。そして、前記スライド変更指示が入力されたと判断されると（Ｓ２６：Ｙｅｓ）、処理がステップＳ２１に戻る。一方、前記スライド変更指示が入力されていないと判断されると（Ｓ２６：Ｎｏ）、処理がステップＳ２７に移行する。
【００６１】
＜ステップＳ２７＞
ステップＳ２７において、制御部２５は、操作部２１を通じて、発表者Ｐ１によるグラフ表示指示が入力されたか否かを判断する。例えば、制御部２５は、発表者Ｐ１によって図１０に示すボタンＢ３が選択されたときに、前記グラフ表示指示が入力されたと判断する。そして、前記グラフ表示指示が入力されたと判断されると（Ｓ２７：Ｙｅｓ）、処理がステップＳ２８に移行する。一方、前記グラフ表示指示が入力されていないと判断されると（Ｓ２７：Ｎｏ）、処理がステップＳ２９に移行する。
【００６２】
＜ステップＳ２８＞
ステップＳ２８において、制御部２５は、図４に示すような前記注目者数情報に基づいて、図６に示すような注目者数の時間的変化を示すグラフを生成して表示部２２に表示する。前記グラフは、例えば、図１０に示す表示画像上にポップアップ表示され、発表者Ｐ１によって当該ポップアップ表示が閉じられると、処理がステップＳ２９に移行する。
【００６３】
＜ステップＳ２９＞
ステップＳ２９において、制御部２５は、操作部２１を通じて、発表者Ｐ１によるフィードバック終了指示が入力されたか否かを判断する。そして、前記フィードバック終了指示が入力されたと判断されると（Ｓ２９：Ｙｅｓ）、前記フィードバック処理が終了する。一方、前記フィードバック終了指示が入力されていないと判断されると（Ｓ２９：Ｎｏ）、処理がステップＳ２６に戻る。
【００６４】
なお、上記ステップＳ２２、Ｓ２３、Ｓ２８の処理（注目者数表示ステップ）は、制御部２５の注目者数表示部２５３によって実行される。また、ステップＳ２４の処理（アドバイス生成ステップ）は、制御部２５のアドバイス生成部２５４によって実行される。また、ステップＳ２５の処理（アドバイス表示ステップ）は、制御部２５のアドバイス表示部２５５によって実行される。
【００６５】
以上のように、本実施形態によれば、前記スライドを見ている注目者数を検出することが可能である。さらに、本実施形態によれば、検出された注目者数を分かり易く表示したり、検出された注目者数に応じてアドバイスを表示したり、検出された注目者数に応じて画像を印刷したりすることが可能である。
【００６６】
なお、各プレゼンテーションにおいて記録された図４に示すような前記注目者数情報を、各プレゼンテーションにおける視聴者Ｐ２の属性情報（クラス、地域、世代など）と関連付けて、データベースに蓄積するようにしてもよい。そして、制御部２５は、前記データベースに基づいて、視聴者Ｐ２の属性毎に最適なスライド構成を提案してもよい。例えば、制御部２５は、高齢の視聴者Ｐ２を対象として行われたプレゼンテーションにおける各スライドの注目者数に基づいて、高齢に注目してもらうためには、どのようなスライド構成が最適であるかを提案してもよい。
【００６７】
なお、本実施形態では、画面３１及び撮像部４が１つずつ設けられているが、本発明はこれに限定されない。例えば、視聴者Ｐ２毎に個別に表示装置３及び撮像部４が割り当てられてもよい。この場合、プレゼンテーション支援装置２の制御部２５は、各視聴者Ｐ２に割り当てられた表示装置３の画面３１に前記スライドを表示するとともに、各視聴者Ｐ２に割り当てられた撮像部４からの画像データに基づいて前記注目者数を判定すればよい。
【符号の説明】
【００６８】
１  プレゼンテーション支援システム
２  プレゼンテーション支援装置
３  表示装置
４  撮像部
５  画像形成装置
３１  画面
６０  スライド
Ｐ１  発表者
Ｐ２  視聴者
【図１】
2018018332.tif 000003
【図２】
2018018332.tif 000004
【図３】
2018018332.tif 000005
【図４】
2018018332.tif 000006
【図５】
2018018332.tif 000007
【図６】
2018018332.tif 000008
【図７】
2018018332.tif 000009
【図８】
2018018332.tif 000010
【図９】
2018018332.tif 000011
【図１０】
2018018332.tif 000012